(57)【要約】【課題】  換気フードの室外への突出を少なくして壁面に取付けたとき、確実に通風路の開閉を行う構造とするために、換気フードの通風路内に２枚の半円形状のシャッターを設けて、前記２枚のシャッターにそれぞれ回動軸を設けて開閉するように構成した。さらに壁面に取付けた場合に限られた場所で美観を損なうことなく使用できる小型の換気フードの風路開閉装置を得る。【解決手段】  換気口の円筒状風路内を風路に対し垂直面で２分割した半円形状のシャッターにしたことで、シャッター軸からシャッター先端までの寸法を従来の１／２の寸法にできるようにした。【選択図】  図１
2005043003.tif 000002
【特許請求の範囲】
【請求項１】
建物に設けられた通気用の開口部に用いる換気フードの内部に、前記開口部と連接され室内空気を屋外に排出させる円筒状風路を設け、この円筒状風路内に２枚の半円形状のシャッターを開閉自在設けた換気フードの風路開閉装置
【請求項２】
前記２枚のシャッターの回動軸を風路方向に対し垂直方向に構成し、かつ前記シャッターに各々回動軸を設けた請求項１記載の屋外フードの風路開閉装置。
【請求項３】
前記シャッターの回動軸の上端を垂直線より室内側に設け下端を室外側となるよう配置して、シャッターの上部が室内側に向かって傾斜するようにした請求項１記載の換気フードの風路開閉装置。
【請求項４】
前記２枚のシャッターの回転軸より前記シャッター円弧と反対に延出した隙間防止用の舌部を設け、この舌部がシャッター閉止時に他のシャッター回動支点の端部に重なるように形成し、かつこの舌部の材質を合成樹脂とした請求項１記載の換気フードの風路開閉装置。
【請求項５】
前記シャッターの回転支持軸において、シャッター軸芯の下側は軸中央に凹部を形成して、この凹部を風路に設けたシャッター保持部で支え、上側は風路上部に設けたシャッター保持部に形成した孔に軸芯を係合させ、軸芯の上下部で支える構造の請求項１記載の換気フードの風路開閉装置。
【請求項６】
前記シャッターの支持構造において、シャッターを支える下側の保持部がばね性を有する材質となした請求項５記載の換気フードの風路開閉装置。
【発明の詳細な説明】
【技術分野】
【０００１】
この発明は、建物の壁面等に設けられた換気用フードの開口部に用いて室内空気を屋外に排出させるシャッター構造を有する換気フードの風路開閉装置に関するものである。
【背景技術】
【０００２】
従来の風路開閉装置は特開２００３−４２５２７号広報（第２頁１０行―１９行）図１で示すように、筒体の垂直面内で回動し室外側開口部４の開口面積を可変する開閉部材１２を自由垂下状態に設けたシャッターがある。
【０００３】
【特許文献１】特開２００３―４２５２７号広報（第１図）
【発明の開示】
【発明が解決しようとする課題】
【０００４】
従来の（特開２００３−４２５２７号）換気系屋外フードにおいては、図１で示す装着用筒部３の通風線上に、上端を回動自在に保持された開閉部材１２が室外側開口部４の開口部を開閉している。このような自由垂下状態に設けたシャッター１２では、開いた時にシャッターの回動支点軸からシャッター先端部までの寸法が大きくなってしまい、カバー部６と壁１との距離が限られた場所での使用時はシャターの開口が不十分であり通風量が満足できない状態となる。又装置も大型となる等問題があった。
【０００５】
また、他の従来例として上記シャッターを上下に２分割して２段構成にして上方より上記シャッターを、自由垂下としている物もあるが、風路の断面が円形状のため構造が複雑となり確実な風路の閉鎖が困難であった。
【０００６】
また、シャッターの材質が金属のみで制作された場合では、シャッターが外風により振動した場合、こすれ音や振動音などの異常音が発生して建物内の騒音が増加する等使用時に不便であった。
【０００７】
上記従来例のシャッターの構成で長時間使用した場合には風路とは別の場所に回転軸や支点が構成され、シャッターが開放状態では水平になっているので、埃・油・煙草の脂等の付着したままの状態が長く保持されるのでシャッター動作不良を起こすこと等がある
【課題を解決するための手段】
【０００８】
この発明に係るシャッター開閉装置は、換気口の円筒状風路内を垂直方向に２分割した半円形状の風路の形状にあわせた半円形状シャッターを２枚設けて、このシャッターの回動支点を上記風路内の垂直方向中心部に形成して、シャッターが常に風路内におかれた状態で開閉するとともに、シャッター回動軸からシャッター先端までの寸法を従来の約１／２の距離にして装置の小型化を行ったものである。
【０００９】
また、前記のシャッター回動部において、風路方向に対し、垂直方向にシャッター回動軸を設け、２枚のシャッター両方に各々回動軸を設けて、開閉時シャッターに同一な荷重がかかるようにしたことで、２枚のシャッターの開閉動作が円滑にできるようにしたものである。
【００１０】
また、前記シャッターにおいて、２枚のシャッターが確実な閉鎖を行うために、回軸支点軸上側が風路部側面から見たとき、シャッター上側支点が下側支点より室内側へずれる構成として、シャッター重心が回動軸に対し、シャッターが閉じる方向へ回転するモーメントを生みだす構成としたものである。
【００１１】
また、前記シャッターにおいて、シャッターの支持軸の反対側に舌部を形成して他のシャッターの支持軸部に前記舌部が重なりシャッター閉止時に機密を保つように構成し、かつ、シャッター舌部を素材の柔らかい合成樹脂性にすることにより、金属どうしのこすれ音や振動音などの異常音をなくすようにしたものである。
【００１２】
また、前記シャッター構造において、半円形状シャッター軸芯（弦）より他のシャッター側へ重なるように舌部を突出形成させ、シャッターが閉じた時にシャッターの合わせ部の隙間防止を行い、２枚のシャッターの閉止時にこの舌部とシャッターとが互いに支え合って、所定の閉鎖位置にて風路を閉止しシャッターが誤動作を防止するようにしたものである。
【００１３】
また、前記シャッター構造において、シャッターの支点となる下側軸芯を中央に設けた凹部の内側の球面にて先端の尖った形状のシャッター保持部で支え、上側はシャッター保持部の孔に回動軸芯を差込み、軸の外周で支えることにより、支点への埃・油・煙草の脂などの付着を防止し、シャッターの開閉動作不良を起こさないようにしたものである。
【００１４】
また、前記シャッター開閉構造において、シャッター及びシャッター支持軸を変形させずに本体へ組付けるために、シャッターを支える下側シャッター保持部はばね性を有したものにし、組付ける際は、ばね性を使いシャッターおよびシャッター支持軸を変形させずに組付けるようにしたものである。
【発明の効果】
【００１５】
この発明は風路内の垂直方向を２分割した半円形状部に各々シャッターを設けてシャッターの開閉時に回動支点よりシャッター先端までの距離を従来の約１/２としたことにより寸法が限られた場所でのシャッター開閉装置の設置が自由にでき、設置が便利となる。
また、装置本体の小型化が可能となる。
【発明を実施するための最良の形態】
【００１６】
実施の形態１．
以下、この発明の実施の形態１を図により説明する。図１において１は換気フード本体、２はこのフード本体の外周に形成される板金等のガラリで切り起こしにより風ガイド２a、２b、２cが外周に形成されている。３はフード本体１を室内の壁面Ａに取付けるフランジ、４はダクト接続風路で壁面を貫通する換気口Ｂに挿入され、円筒形状をしている。このダクト接続風路は室内の空気が室外へ通る風の通り道Ｃが形成されている。
【００１７】
フランジ３は排気フード本体１と一体となっていて換気フードを支える部品で屋外壁面Ａに木ネジ等（図示せず）にて固定され着脱可能となっている。ダクト接続風路４はフランジ３に固定されている。換気フード本体１は屋外よりの風雨が屋内へ進入するのを防止するもので、台形形状となっている。ガラリ２は先端フード１aとフランジ３の中間に位置しており、屋外フード横・上部・下部からの風雨より屋内への進入を防ぐもので、取付けられる壁面より屋外側へ傾斜した風ガイド２ａ、２b、２cを先端フード１とフランジ３の間の全周に配設している、このガラリ２はネジにてフランジ３に固定されている。７は先端フード取付金具で先端フード１とガラリ２を結合する部品であり、ガラリ２に形成した結合部２dに先端フード取付金具７の一端７ａを差し込むようになっており、着脱可能となっている。先端フード取付金具７の他端７ｂはフード１に溶接等で固定されている。先端フードの下側は取付金具８でフード１とガラリ２を結合している。この取付け金具８は先端フード１aがガラリ２に保持されるように２ヶ所設置されていて、先端に設けられた取付け孔８ａ部を取付けねじ１２を使いガラリ２に固定されていて、着脱可能となっている。先端フード取付金具８の先端８ｂは先端フード１aに固着されている。
【００１８】
図２において９はシャッターでダクト接続風路４の風路内Ｃに配置されている、このシャッター９は円筒状風路を２分割した半円形状をしている。このシャッターは左右二枚にて分割され、上記円筒状風路内Ｃを開閉するよう構成されている。１０はシャッター支持軸でシャッター９が回動自在となるよう支持している。支持軸１０は各々のシャッター９に一つずつ取付けてある。シャッターは風路４に取付けた状態では風路Ｃを自然に閉じ、室内より強制排気される空気の風圧により室外方向に開くように風路Ｃに設けられている。
【００１９】
図２と図３はシャッター９とシャッター軸１０の構造を示し、軸の上下２ヶ所の軸芯は凹形状１０aになっている。シャッター９を取付ける際の下側は、図４と図６で示すように下側シャッター支持軸保持部６の先端部６ａにてシャッター軸芯凹部１０aを支えている。上側シャッター支持軸は図５と図７で示すようにシャッター支持軸１０を上側シャッター保持部の孔５ａに挿入し、シャッター支持軸外周１０ｃを支えている。シャッターを挿入する際、下側シャッター保持部６は、ばね性を有しており、図６の矢印で示すように下側へ押しシャッター支持軸の凹部１０aを挿入させて取付ける。
【００２０】
図５、図６において、５は風路の上側に設けたシャッター支持軸の保持部、６は下側に設けたシャッター支持軸の保持部である。この保持部５、６はダクト接続風路４の内側のほぼ中央部に固定されている。また、図６は保持部６の構造を示しこの下側保持部６に立ち上がり部６ｂを設けることにより、図１で示すようにシャッター９が開いた時に立ち上がり部６ｂに接触し、それ以上は開かないようにしている。こうすることにより、図１にしめすようにシャッターが開いた勢いで他のシャッターの開放方向へ行かないようにして誤動作防止の構造としている。
【００２１】
また図２で示すようにシャッター軸１０は、軸芯と軸芯を結ぶ線１０ｅより反シャッター側へ突出させた舌部１０ｄを設けている。こうすることにより、シャッターが閉じた場合には隙間防止を行い、２枚のシャッターが互いに支え合うため、所定の閉鎖位置より余分な動作しない等の誤動作防止を行うことができる。
【００２２】
実施の形態２．
また、実施の形態２を図１により説明する。シャッター重り１１を左右二枚のシャッター９に取付けることにより、風路に風がない場合、シャッターが閉じるとき、閉じる方向へ回転するモーメントを増大させ、二枚のシャッターが確実な閉鎖となるようにしたものである。
【００２３】
また、風路方向に対し、垂直方向にシャッター回転軸を設け、２枚のシャッター両方に同一な荷重がかかるようにしたことで、開閉動作が円滑にできる。
【００２４】
また、２枚のシャッターにて確実な閉鎖を行うために、回転軸上側を傾けた（風路部を横から見たとき、シャッター上側軸芯が下側軸芯より室内側へずれる）ことにより、シャッター重心が軸に対し、シャッターが閉じる方向へ回転するモーメントを生み、２枚のシャッターで確実に風路を閉鎖できる。
【００２５】
また、シャッターの支点となる軸形状及び２枚のシャッターが重なり合うシャッター軸部を素材の柔らかい樹脂製にすることにより、金属同士のこすれ音や振動音などの異常音を低減できる。
【００２６】
また、シャッター軸芯を結ぶ線より反シャッター側へ突出させることにより、シャッターが閉じた場合には隙間防止をし、２枚のシャッターが互いに支え合うため、所定の閉鎖位置より余分な動作をしてしまうなどの誤動作を防止できる。
【００２７】
また、シャッターの支点となる下側軸芯を中央に設けた凹部の内側にてシャッターを支え、上側は軸芯外周で支えることにより、支点への埃・油・煙草の脂などの付着を防止し、動作不良を起こさないようにできる。
【００２８】
また、シャッターを変形させずに本体へ組付けるために、シャッターを支える下側の受け部品はばね性を有した材質で構成し、組付ける際はばね性を使いシャッター及び支持軸を変形させずに組付けできる。
【図面の簡単な説明】
【００２９】
【図１】実施の形態１を示す屋外フードの風路開閉装置の断面図である。
【図２】実施の形態１のシャッター構造を正面より見た図である。
【図３】実施の形態１のシャッター支持軸部部分断面図である。
【図４】実施の形態１のシャッター開閉機構下部支持部分断面図である。
【図５】実施の形態１の上側シャッター支持軸保持部５部品図である。
【図６】実施の形態１の下側シャッター保持部６部品図である。
【図７】実施の形態１のシャッター開閉機構上部支持部分断面図である。
【符号の説明】
【００３０】
１  換気フード本体、  １a  先端フード、  ２  ガラリ、  ３  フランジ、  ４  接続風路、  ５  上側シャッターの保持部、  ６  下側シャッターの保持部、  ７  先端フード取付金具、  ８  取付金具、  ９  シャッター、  １０  シャッター支持軸、  １１  重り
【図１】
2005043003.tif 000003
【図２】
2005043003.tif 000004
【図３】
2005043003.tif 000005
【図４】
2005043003.tif 000006
【図５】
2005043003.tif 000007
【図６】
2005043003.tif 000008
【図７】
2005043003.tif 000009